(57)【特許請求の範囲】
【請求項１】
電気信号が伝えられる信号電極パッド、接地電源信号が伝えられる接地電極パッド、及びオンチップ回路を有する半導体チップと、
前記信号電極パッド及び前記接地電極パッドが露出するように前記半導体チップ上に形成される第１絶縁層と、
前記接地電極パッドと電気的に接触する接地金属層を有し、前記第１絶縁層上に形成される板状の第１金属層と、
前記接地電極パッドに対応する接地接触部、ならびに前記信号電極パッドに対応する信号接触部を有し、前記第１金属層上に形成される第２絶縁層と、
前記接地接触部を介して前記接地電極パッドと電気的に連結される接地パターン、ならびに前記信号接触部を介して前記信号電極パッドと電気的に連結される信号パターンを有し、前記第２絶縁層上に形成される第２金属層と、
を備え、
前記接地金属層は、前記半導体チップの中央に配列された前記接地電極パッド及び前記信号電極パッドに対して対称的に配置される２個の金属板から構成されることを特徴とする半導体チップパッケージ。
【請求項２】
電気信号が伝えられる信号電極パッド、接地電源信号が伝えられる接地電極パッド、及びオンチップ回路を有する半導体チップと、
前記信号電極パッド及び前記接地電極パッドが露出するように前記半導体チップ上に形成される第１絶縁層と、
前記接地電極パッドと電気的に接触する接地金属層を有し、前記第１絶縁層上に形成される板状の第１金属層と、
前記接地電極パッドに対応する接地接触部、ならびに前記信号電極パッドに対応する信号接触部を有し、前記第１金属層上に形成される第２絶縁層と、
前記接地接触部を介して前記接地電極パッドと電気的に連結される接地パターン、ならびに前記信号接触部を介して前記信号電極パッドと電気的に連結される信号パターンを有し、前記第２絶縁層上に形成される第２金属層と、
を備え、
前記接地金属層は、単一の金属板から構成され、前記半導体チップの中央に配列された前記接地電極パッド及び前記信号電極パッドが露出する開放部を有することを特徴とする半導体チップパッケージ。
【請求項３】
前記接地金属層は、前記第１絶縁層と前記第２絶縁層とが直接に接続されるための複数の貫通孔を有することを特徴とする請求項２に記載の半導体チップパッケージ。
【請求項４】
前記第２金属層の前記接地パターン及び前記信号パターンと電気的に連結される外部接続部をさらに備えることを特徴とする請求項１乃至３のいずれかに記載の前記半導体チップパッケージ。
【請求項５】
前記外部接続部は、はんだボールであることを特徴とする請求項４に記載の半導体チップパッケージ。
【請求項６】
前記第１金属層は、前記信号電極パッドと連結される接触パターンを有することを特徴とする請求項１乃至３のいずれかに記載の半導体チップパッケージ。
【請求項７】
前記第１金属層及び前記第２金属層は、銅金属から構成されることを特徴とする請求項１乃至３のいずれかに記載の半導体チップパッケージ。
【請求項８】
前記第１金属層、前記第２金属層、及び前記第１絶縁層及び前記第２絶縁層は、前記オンチップ回路の製造と同一の一括工程により形成されることを特徴とする請求項１乃至３のいずれかに記載の半導体チップパッケージ。
【請求項９】
前記第１絶縁層、前記第１金属層、前記第２絶縁層、前記第２金属層にそれぞれ対応する第３絶縁層、第３金属層、第４絶縁層、第４金属層をさらに備え、前記第２金属層を有する前記半導体チップ上に形成されることを特徴とする請求項１乃至３のいずれかに記載の半導体チップパッケージ。
【請求項１０】
前記第１金属層は、チタニウム金属層、銅金属層、チタニウム金属層を順次積層して形成されることを特徴とする請求項１乃至３のいずれかに記載の半導体チップパッケージ。
【請求項１１】
前記第２金属層は、クロム金属層、銅金属層、ニッケル金属層を順次積層して形成されることを特徴とする請求項１乃至３のいずれかに記載の半導体チップパッケージ。
【請求項１２】
電気信号が伝えられる信号電極パッド、接地電源信号が伝えられる接地電極パッド、及びオンチップ回路を有する半導体チップと、
前記半導体チップ上に形成される第１絶縁層と、
前記第１絶縁層上に形成された第１金属層と、
前記第１金属層上に形成された第２絶縁層と、
前記第２絶縁層上に形成された第２金属層とを備え、
前記第１金属層または第２金属層のいずれかは、板状の構造の接地金属層から形成されており、
前記接地金属層は、前記半導体チップの中央に配列された前記接地電極パッド及び前記信号電極パッドに対して対称的に配置される２個の金属板から構成されることを特徴とする半導体チップパッケージ。
【請求項１３】
電気信号が伝えられる信号電極パッド、接地電源信号が伝えられる接地電極パッド、及びオンチップ回路を有する半導体チップと、
前記半導体チップ上に形成される第１絶縁層と、
前記第１絶縁層上に形成された第１金属層と、
前記第１金属層上に形成された第２絶縁層と、
前記第２絶縁層上に形成された第２金属層とを備え、
前記第１金属層または第２金属層のいずれかは、板状の構造の接地金属層から形成されており、
前記接地金属層は、単一の金属板から構成され、前記半導体チップの中央に配列された前記接地電極パッド及び前記信号電極パッドが露出する開放部を有することを特徴とする半導体チップパッケージ。
【請求項１４】
前記接地金属層は、前記第１絶縁層と前記第２絶縁層とが直接に接続されるための複数の貫通孔を有することを特徴とする請求項１３に記載の半導体チップパッケージ。
【発明の詳細な説明】
【０００１】
【発明の属する技術分野】
本発明は、半導体パッケージング技術に関するもので、より具体的には、ウェーハレベルパッケージに関する。
【０００２】
【従来の技術】
一般に、半導体チップパッケージは、チップの入出力を外部と電気的に連結させる機能と、外部環境から半導体チップを物理的に保護する機能とを有する。従来から、小型化・軽量化、高速化、多機能化され、且つ高信頼性を有する安価の半導体チップパッケージが要求されている。かかる要求を満足するため、様々なパッケージング技術が開発されて来た。
【０００３】
例えば、ボールグリッドアレイ（ＢＧＡ：ball grid array）パッケージは、従来の金属リードフレームを有するプラスチックパッケージに比べて、比較的高い表面実装密度及び向上された電気的性能を提供する。前記ＢＧＡは、半導体チップの導電性位置に配置された微小のはんだボールのアレーを含む。前記はんだボールは、半導体チップと、印刷回路基板やその他の基板の導体との間の電気的結合及び同時付着のためにリフラックスされる。ＢＧＡパッケージと従来のプラスチックパッケージの主要な差異点は、プラスチックパッケージのリードフレームの代わりに複数層の回路パターンを有する基板により、半導体チップの電気的接続を提供するものである。
【０００４】
前記ＢＧＡパッケージは、入出力ピン数の増加に適切に対応することができ、電気接続部の誘導成分を減らしながらパッケージのサイズをチップスケールに縮小することができる。
【０００５】
チップサイズレベルのパッケージから一層発展した形態のパッケージとしてウェーハレベルパッケージが登場した。ウェーハレベルパッケージは、ウェーハ段階で半導体チップの組立またはパッケージが完了するパッケージをいうが、ウェーハ製造工程（fabrication）や組立工程（assembly）でダイ（die；ウェーハから分離された半導体チップ）に対する追加的な工程を必要とせず、それぞれの工程段階でウェーハ上のすべての半導体チップに対して一括的に工程を進行することができることが要望される。
【０００６】
既存の標準半導体チップパッケージ技術において、パッケージの費用は、ウェーハ製造工程で半導体チップの縮小（shrink）を進行することによって全体半導体素子の費用で多くの部分を占め、パッケージの費用が半導体チップ自体の費用を超過する場合も発生するが、ウェーハレベルパッケージ（ＷＬＰ）は、単一工程で組立まで完了するため、半導体素子の製造費用を顕著に軽減することができる。また、ウェーハレベルパッケージは、パッケージの機能と半導体チップの機能をより完璧に統合することができ、半導体素子の熱的特性と電気的特性が改善され、パッケージのサイズを半導体チップのサイズに小型化できるという長所がある。
【０００７】
図１は、従来の技術に係るＷＬＰの部分断面図である。
シリコンウェーハ２には、複数の半導体チップ（図示しない）が形成されていて、それぞれの半導体チップには、一括製造工程（batch fabrication process）によりオンチップ回路が形成されている。図１には、図面を簡単にするため、オン−チップ回路の最上部に形成された金属層３のみを示す。金属層３は、半導体チップを外部と電気的に連結する電極パッド４と連結されている。ウェーハ２の上部面、すなわち、半導体チップの活性面（active surface）は、電極パッド４を除いてパッシベーション膜（passivation layer）で覆われている。パッシベーション膜上に誘電体層５及び金属配線６が形成されていて、これは、露出した電極パッド４と接触されている。金属配線６上に、さらに誘電体層７を形成するが、この時、外部接続部の領域（例えば、はんだボール９）は、誘電体層７を介して開放させて置く。誘電体層７の開放された部分を介してはんだボール９を金属配線６と電気的に連結させることにより、ウェーハ２上の半導体チップに対する外部電気連結部が完成する。
【０００８】
ところが、かかる構造の従来のＷＬＰにおいて、金属配線６を介して伝えられる電気的信号の周波数が高まることにより生じる寄生的な問題を解決することが困難であった。例えば、金属配線６を構成する電源ライン、信号ライン、及び接地ラインをどのように設計し配置するかにより、高速半導体素子の電気的特性が決められる。しかし、従来のＷＬＰ構造では、信号ラインにより生じるインダクタンス、キャパシタンス、及び寄生変数を效果的に制御することが難しく、且つ高周波で動作する半導体素子の電気的特性及び信頼性を效果的に保障することが難しかった。
【０００９】
【発明が解決しようとする課題】
従って、本発明の目的は、高周波で動作する半導体素子の電気的特性及び信頼性を保障することができる半導体チップパッケージを提供することにある。
本発明の他の目的は、信号ラインにより生じるインダクタンス及び寄生変数を減少することができる半導体チップパッケージを提供することにある。
【００１０】
【課題を解決するための手段】
本発明の一実施例に係る半導体チップパッケージは、（Ａ）電気信号が伝えられる信号電極パッド、接地電源信号が伝えられる接地電極パッド、及びオンチップ回路を有する半導体チップと、（Ｂ）前記信号電極パッド及び前記接地電極パッドが露出するように、活性面に形成される第１絶縁層と、（Ｃ）前記接地電極パッドと電気的に接触する接地金属層を有し、前記第１絶縁層上に形成される板状の第１金属層と、（Ｄ）前記接地電極パッドに対する接地接触部と前記信号電極パッドに対する信号接触部を有し、前記第１金属層上に形成される第２絶縁層と、（Ｅ）前記接地接触部を介して接地電極パッドと電気的に連結される接地パターン、及び前記信号接触部を介して信号電極パッドと電気的に連結される信号パターンを有し、前記第２絶縁層上に形成される第２金属層とを備え、（Ｆ）前記接地金属層は、前記半導体チップの中央に配列された前記接地電極パッド及び前記信号電極パッドに対して対称的に配置される２個の金属板から構成されている。
また、上記（Ｆ）の代わりに、（Ｇ）前記接地金属層は、単一の金属板から構成され、前記半導体チップの中央に配列された前記接地電極パッド及び前記信号電極パッドが露出する開放部を有している。
【００１１】
本発明の他の実施例に係る半導体チップパッケージは、（Ｈ）電極パッドを有する半導体チップと、（Ｉ）前記半導体チップ上に形成される第１絶縁層と、（Ｊ）前記第１絶縁層上に形成された第１金属層と、（Ｋ）前記第１金属層上に形成された第２絶縁層と、（Ｌ）前記第２絶縁層上に形成された第２金属層とを備え、（Ｍ）前記第１金属層または第２金属層のいずれかは、板状の構造の接地金属層から形成されており、（Ｎ）前記接地金属層は、前記半導体チップの中央に配列された前記接地電極パッド及び前記信号電極パッドに対して対称的に配置される２個の金属板から構成されている。
また、上記（Ｎ）の代わりに、（Ｏ）前記接地金属層は、単一の金属板から構成され、前記半導体チップの中央に配列された前記接地電極パッド及び前記信号電極パッドが露出する開放部を有している。
【００１２】
【発明の実施の形態】
以下、図面を参照して本発明の実施例について説明する。
図２は、本発明の一実施例に係る半導体チップパッケージ（以下、「ＷＬＰ」）の部分断面図であり、図３〜図９は、ＷＬＰの製造工程を示す。
図３に示すように、半導体ウェーハ２、例えばシリコンウェーハには、複数の半導体チップが形成され、前記ウェーハの最上面には、複数の電極パッド、すなわち信号電極パッド４ａ、４ｃ、及び接地電極パッド４ｂが形成されている。信号電極パッド４ａ、４ｃは、半導体チップと電気的信号、例えば制御信号、アドレス信号、入出力信号、電源（VddまたはVcc）信号をやりとりする通路である。接地電極パッド４ｂは、前記電気的信号に接地経路を提供する。電極パッド４はウェーハに形成されたオンチップ回路と電気的に連結されるが、図面の簡略化のため図面には図示しないことが当業者に自明であろう。電極パッド４は、例えばアルミニウム金属から構成されている。半導体ウェーハ２の表面は、外部に対する電気導電性経路を形成するため露出された電極パッド４を除いて、パッシベーション膜１５で覆われている。パッシベーション膜１５は、ＰＳＧ（Phospho-Silicate Glass）膜や、ＳｉＯ2及びＳｉ3Ｎ4を主材料とする膜を化学気相蒸着（ＣＶＤ）を行なった後、蒸着された膜をエッチングすることにより形成される。
【００１３】
図４に示すように、パッシベーション膜１５上に第１絶縁または誘電材料を塗布した後、電極パッド４が露出するようにエッチングし、第１絶縁パターン層１０を形成する。前記第１絶縁パターン層１０は、例えばポリマー系の絶縁材料から構成される。
【００１４】
図５に示すように、第１絶縁パターン層１０上に金属を塗布してエッチングすることにより、第１金属層２０を形成する。第１金属層２０は、チップに接地電源を提供する。第１金属層２０は、接地金属層２０ｂ及び接触パターン２０ａ、２０ｃを含む。接地金属層２０ｂは、接地電極パッド４ｂと連結されている。信号電極パッド４ａ、４ｃと接触する接触パターン２０ａ、２０ｃは、後述するように、他の金属層（例えば、図７の金属層４０）と信号電極パッド４ａ、４ｃとを連結させる。図５の段階において、接触パターン２０ａ、２０ｃをエッチングにより除去することができる。しかし、上部金属層４０が形成される表面の平坦度を維持するため、接触パターン２０ａ、２０ｃを残すことが好ましい。第１金属層２０は、例えば銅から構成される。本発明の一実施例において、前記第１金属層２０はチタニウム、銅、チタニウムを順次スパッタリングすることにより形成される。
【００１５】
接地金属層２０ｂを形成した後、図６に示すように、第１金属層２０上にさらに第２絶縁層３０を塗布してエッチングすることにより、信号電極パッド４ａ、４ｃに対する信号接触部３４と、接地電極パッド４ｂに対する接地接触部３２とを形成する。第２絶縁層３０は、第１絶縁層１０と同質の材料、例えばポリイミドから構成される。
【００１６】
図７に示すように、前記第２絶縁層３０上に第２金属パターン層４０を形成する。第２金属層４０は、第１金属層２０と同質の材料から構成される。本発明の一実施例において、第２金属層４０は、例えばクロム金属、銅を順次スパッタリングし、さらにニッケル金属をその上にメッキすることにより形成される。ここで、クロムは、ポリイミド（第２絶縁層）との接着力を考慮して使用され、銅電極とポリイミド層間の障壁層の役割をする。また、ニッケルは、はんだボールに対するはんだ障壁層の役割をし、酸化を防止する。第２金属の厚さを十分に確保するために、スパッタリング銅層上に、さらにメッキ銅層を塗布することも可能である。
【００１７】
第２金属パターン層４０は、前記信号接触部３４と連結されるパターン及び前記接地接触部３２と連結される他のパターンを含む。図８に示すように、第２金属パターン層４０上に第３絶縁層５０を塗布してエッチングすることにより、接地はんだボールランド５２及び信号はんだボールランド５４を形成する。
図９に示すように、はんだボールランド５２、５４に、はんだボール６０ａ、６０ｂを取り付ける。はんだボール６０は、例えば一般的なＢＧＡパッケージング工程に用いられる従来の方法により取り付けることができる。
【００１８】
本発明の一実施例において、第１金属層２０の接地金属層２０ｂは、いろいろな形態を有する金属板により形成することができる。例えば接地金属板は、図１０に示すように、半導体チップ２の中央に配置された電極パッド４に対して２個の接地板７０、７２が対称に配列された構造で構成されることができる。図１１に示すように、接地金属板は、半導体チップ２の中央に配置された電極パッド４を露出する開放部７５を有する単一金属胴体７４を含むように構成することができる。一方、図１２に示すように、半導体チップ２の中央に配置された電極パッド４を露出する開放部７７及び複数の貫通孔７８を有する単一接地金属板７６により、接地板を形成することができる。この貫通孔７８は、接地板の上に形成された第２絶縁層３０及び接地板の下に形成された第１絶縁層１０を直接接触させることにより、絶縁層１０、３０の接着力を高める。
【００１９】
図３に示す工程において、接地金属層２０ｂを板状に構成した場合、第１絶縁層１０の形成段階（図４）、第１金属層２０の形成段階（図５）、第２絶縁層３０の形成段階（図６）、第２金属パターン層４０の形成段階（図７）を繰り返して実施することにより、多層金属構造のウェーハレベルチップパッケージを形成することが可能であり、その結果、パッケージの電気的特性を高めることができる。この実施例は、接地板を多層に形成することによって、高速パッケージ素子において接地板による寄生変数を一層減少させることができ、且つパッケージ素子の駆動特性及び電気的性能を最適化することができる。
【００２０】
また、別途の金属板で接地層を構成することにより、信号伝達用金属パターンの配線自由度を向上させることができる。すなわち、単一金属層に接地パターン及び信号パターンが形成された従来の構造において、それぞれのパターンが占める領域により信号パターン設計が制限される。これに対して、本発明の構造によると、設計者は、別途の接地層により信号金属層に確保された領域に、信号層を自由に配置することができ、信号層の設計が自由で且つ最適化できる。
本発明に係るＷＬＰは、フラッシュメモリーチップ、ＤＲＡＭ、マイクロコントローラーを含む多様な半導体チップに適用することができるが、特に、高周波で動作する半導体ＩＣ素子に適合する。
【００２１】
本発明に係るＷＬＰは、信号パターンにより生じたインダクタンス及び寄生変数を最小化することができる。ループインダクタンスは、信号パターンに流れる電流及び前記信号パターンに対応する接地経路に流れる帰還イメージ電流（feedback image current）により形成される仮想的なループ領域より決められる。ところが、帰還イメージ電流は、インダクタンスが最小の経路に沿って流れるので、帰還経路は、信号パターンに最も近い接地経路に沿って形成される。その結果、接地経路と信号パターン間の距離が最小になると、ループ領域はもちろん、ループインダクタンスも最小になる。ループインダクタンスは、次の数式で表すことができる。
ＬI＝（ＬSIG＋ＬGND−２・ＬSIG_GND）
【００２２】
ここで、ＬIは、ループインダクタンス、ＬSIGは、信号ラインの自己インダクタンス、ＬGNDは、接地経路の自己インダクタンス、ＬSIG_GNDは、信号ラインと接地経路間の相互インダクタンスである。上記数学式から明らかなように、接地経路を板状に信号ラインの下に形成すると、信号ラインの自己インダクタンスＬSIG及び接地経路の自己インダクタンスＬGNDが減少し、信号ラインと接地経路間の相互インダクタンスＬSIG_GNDが増加するので、その結果、ループインダクタンスＬIが減少する。また、板状の接地経路は、あらゆる信号ラインに対して安定した帰還電流経路を提供することができる。
【００２３】
本発明は、本発明の技術的思想から逸脱することなく、他の種々の形態で実施することができる。前述の実施例は、あくまでも、本発明の技術内容を明らかにするものであって、そのような具体例のみに限定して狭義に解釈されるべきものではなく、本発明の精神と特許請求の範囲内で、いろいろと変更して実施することができるものである。
【００２４】
【発明の効果】
以上説明したように、本発明によると、半導体チップに電気的信号が伝えられる通路である信号ラインによるインダクタンス及び寄生変数を最小化することにより、高周波で動作する半導体チップの電気的特性を安定に維持し、效果的に保障することが可能である。また、信号伝達用金属パターンの配線自由度が増加する。
【図面の簡単な説明】
【図１】従来の技術に係るェーハレベルパッケージの部分断面図である。
【図２】本発明に係るウェーハレベルパッケージの部分断面図である。
【図３】本発明に係るウェーハレベルパッケージの製造工程を示す部分断面図である。
【図４】本発明に係るウェーハレベルパッケージの製造工程を示す部分断面図である。
【図５】本発明に係るウェーハレベルパッケージの製造工程を示す部分断面図である。
【図６】本発明に係るウェーハレベルパッケージの製造工程を示す部分断面図である。
【図７】本発明に係るウェーハレベルパッケージの製造工程を示す部分断面図である。
【図８】本発明に係るウェーハレベルパッケージの製造工程を示す部分断面図である。
【図９】本発明に係るウェーハレベルパッケージの製造工程を示す部分断面図である。
【図１０】本発明に係る接地金属層構造のいろいろな例を示す概略断面図である。
【図１１】本発明に係る接地金属層構造のいろいろな例を示す概略断面図である。
【図１２】本発明に係る接地金属層構造のいろいろな例を示す概略断面図である。
【符号の説明】
２  半導体ウェーハ
１０  第１絶縁パターン層
２０  第１金属層
２０ａ、２０ｃ  信号パターン
２０ｂ  接地パターン
３０  第２絶縁層
３２  接地接触部
３４  信号接触部
４０  第２金属層
５０  第３絶縁層
５２  接地はんだボールランド
５４  信号はんだボールランド
６０  はんだボール
【図１】
0004163421.tif 000002
【図２】
0004163421.tif 000003
【図３】
0004163421.tif 000004
【図４】
0004163421.tif 000005
【図５】
0004163421.tif 000006
【図６】
0004163421.tif 000007
【図７】
0004163421.tif 000008
【図８】
0004163421.tif 000009
【図９】
0004163421.tif 000010
【図１０】
0004163421.tif 000011
【図１１】
0004163421.tif 000012
【図１２】
0004163421.tif 000013